(57)【要約】      （修正有）【課題】ディスク用の収納ケースからプラスチック材料を完全に排除すると共に、ディスク用のトレイが収納ケースの中から抜け出ることを防止でき、且つ、ディスクと一緒に収納ケースの中に収めた小冊子やカード類といった印刷物の取り出しを、収納ケース内部へのもぐり込みを防止できるように工夫したディスク用収納ケースを提供する。【解決手段】板紙製トレイＫＸに載置されたディスク１０の上面に、小冊子やカード類等の印刷物ＢＣを、一体に沿わせた状態で、上記板紙製収納ケース体ＫＴの内部に収納自在に構成すると共に、上記板紙製トレイの先端部の上下両側には、常時外方へ弾発作用する上下の爪片３Ａ，３Ｂを連設し、上記ディスク１０を載置した状態で引き出される板紙製トレイＫＸの下側の爪片３Ｂに係合して、板紙製トレイの抜け出しを防止するストッパー片Ｋ１を設けた。【選択図】図２
2012035893.tif 000002
【特許請求の範囲】
【請求項１】
ＣＤ或いはＤＶＤといった各種のディスクを載置できる板紙製トレイと、この板紙製トレイを一側に設けた差込口より差し込んで収納することができる板紙製収納ケース体とによって構成したディスク用収納ケースであって、
上記板紙製トレイに載置されたディスクの上面に、当該ディスクの解説文や宣伝文等を掲載した小冊子やカード類等の印刷物を、一体に沿わせた状態で、上記板紙製収納ケース体の内部に収納自在に構成すると共に、
上記板紙製トレイの先端部の上下両側には、常時外方へ弾発作用する上下の爪片を連設し、
上記板紙製収納ケース体の上記差込口の内側縁には、当該板紙製収納ケース体の内部より、上記ディスクを載置した状態で引き出される板紙製トレイの下側の爪片に係合して、板紙製トレイの抜け出しを防止するストッパー片を、上記板紙製収納ケース体の内部に向けて内向きに突設し、
当該ストッパー片に係合しない上記上側の爪片が、上記板紙製トレイの引き出し時に、当該トレイに載置された状態で上記板紙製収納ケース体の中に収納されている上記各印刷物の内端に係合して、これ等を前記差込口に引き出すように構成したことを特徴とするディスク用収納ケース。
【請求項２】
前記板紙製収納ケース体の差込口の上下縁に、上下のストッパー片を内向きに突設し、上記差込口より板紙製収納ケース体の内部に抜き差し自在に嵌め込むことができる前記板紙製トレイの内端部には、当該板紙製トレイを板紙製収納ケース体の内部より引き出した時に、上記上下２枚のストッパー片に係合して、板紙製トレイの抜け出しを防止できる上下２枚の爪片が設けられていることを特徴とする請求項１に記載のディスク用収納ケース。
【請求項３】
前記板紙製トレイの中央部分に、前記ディスクの保持用としてポリ乳酸が主成分の生分解性プラスチック製のセンターハブが設けられ、当該板紙製トレイの外端部には、上記センターハブに取り付けたディスクの上面に折り重ねることにより、ディスクを保護し、且つ、前記小冊子やカード類等の印刷物をカバーする保護片が連設されていることを特徴とする請求項１又は２に記載のディスク用収納ケース。
【請求項４】
前記板紙製トレイの外端部と左右両側部に、当該板紙製トレイの上面に載置した前記ディスク及び小冊子やカード類等の印刷物の上面に折り重ねることにより、これ等ディスクと印刷物を保護する計３枚の保護片が連設されていることを特徴とする請求項１又は２に記載のディスク用収納ケース。
【請求項５】
前記小冊子やカード類等の印刷物の長さ寸法が、前記板紙製収納ケース体の差込口に内向きに連設した前記ストッパー片の内端縁と、前記板紙製トレイの底面に沿って挿入された前記印刷物が、前記板紙製トレイの下部爪片に当たってその挿入が係止される係止点との間の長さ寸法よりも、長く構成されていることを特徴とする請求項１に記載のディスク用収納ケース。
【請求項６】
前記板紙製収納ケース体の差込口の縁部分に、前記板紙製トレイを引き出すための指掛部が切欠形成されていることを特徴とする請求項１、２又は５に記載のディスク用収納ケース。
【発明の詳細な説明】
【技術分野】
【０００１】
本発明は、ＣＤ或いはＤＶＤといった各種のディスク（以下単にディスクという）を収納するためのディスク用収納ケースに関するものである。
【背景技術】
【０００２】
従来の一般的なディスク用収納ケースは、例えば特許文献１に見られるように、全体がプラスチックで造られた開閉蓋付きのケース体をその収納ケースとして使用していたが、最近では、ディスクの内容等を説明した解説文や宣伝文、或いは、装飾用の写真や絵柄等を直接収納ケースに印刷するために、印刷可能な板紙（厚紙）を用いて全体を薄い略ボックス形状に造った収納ケースが使用されている。
【０００３】
しかし、上記従来の板紙製の収納ケースは、ディスクを収めたプラスチックトレイを、直接差込口から出し入れする構成であるため、収納ケースを手に持った時や、収納ケースを持ち運んでいる最中に、プラスチックトレイが差込口から抜け落ちて、ディスクを痛めてしまったり紛失してしまったりする場合があり、また、ディスクを間違った収納ケースに入れてしまって、その所在が解らなくなってしまうような場合もあった。
【０００４】
そこで本出願人は、特許文献２に見られるように、プラスチックトレイを収納するケース体の差込口の部分に、引き出したプラスチックトレイに設けた爪片に係合して、プラスチックトレイの抜け出しを防止するための引掛け片（ストッパー）を設けた構成のディスク用収納ケースを開発した。
【先行技術文献】
【特許文献】
【０００５】
【特許文献１】特開平０９−１８８３７８号公報
【特許文献２】実用新案登録第３１１２７４３号公報
【発明の概要】
【発明が解決しようとする課題】
【０００６】
一方、環境問題に対する社会的な要求が日を追って盛り上がりを見せている最近、ディスク用収納ケース（パッケージ）の業界においても、パッケージからプラスチックを全面的に排除しようという動きが拡大の傾向にある。
【０００７】
然るに、上記特許文献２に記載の収納ケースは、ディスク収納用のトレイとして、プラスチック製のトレイが使用されているため、その改善が望まれていた。加えて、斯る特許文献２に記載の収納ケースには、プラスチックトレイの脱落を防止する目的で、ケース体の差込口の部分に、引き出したプラスチックトレイの爪片に係合する引掛け片が設けられているため、ディスクの解説文や宣伝文等が印刷された小冊子やカード類を、上記のプラスチックトレイと一緒にケース体の内部に収納した場合に、プラスチックトレイは引き出せても、これ等小冊子やカード類が上記の引掛け片に引掛かって、ケース体の中から引き出せなくなったり、更には、これ等小冊子やカード類がケース体の内部にもぐり込んでしまって、取り出せなくなってしまう問題があった。
【０００８】
従って本発明の技術的課題は、ディスク用の収納ケースからプラスチック材料を完全に排除すると共に、ディスク用のトレイが収納ケースの中から抜け出ることを防止でき、且つ、ディスクと一緒に収納ケースの中に収めた小冊子やカード類といった印刷物の取り出しを、ディスクの取り出しと一緒に確実に行って、これ等印刷物の収納ケース内部へのもぐり込みを防止できるように工夫したディスク用収納ケースを提供することである。
【課題を解決するための手段】
【０００９】
（１）  上記の技術的課題を解決するために、本発明の請求項１に係るディスク用収納ケースは、ＣＤ或いはＤＶＤといった各種のディスクを載置できる板紙製トレイと、この板紙製トレイを一側に設けた差込口より差し込んで収納することができる板紙製収納ケース体とによって構成したディスク用収納ケースであって、上記板紙製トレイに載置されたディスクの上面に、当該ディスクの解説文や宣伝文等を掲載した小冊子やカード類等の印刷物を、一体に沿わせた状態で、上記板紙製収納ケース体の内部に収納自在に構成すると共に、上記板紙製トレイの先端部の上下両側には、常時外方へ弾発作用する上下の爪片を連設し、上記板紙製収納ケース体の上記差込口の内側縁には、当該板紙製収納ケース体の内部より、上記ディスクを載置した状態で引き出される板紙製トレイの下側の爪片に係合して、板紙製トレイの抜け出しを防止するストッパー片を、上記板紙製収納ケース体の内部に向けて内向きに突設し、当該ストッパー片に係合しない上記上側の爪片が、上記板紙製トレイの引き出し時に、当該トレイに載置された状態で上記板紙製収納ケース体の中に収納されている上記各印刷物の内端に係合して、これ等を前記差込口に引き出すように構成したことを特徴としている。
【００１０】
（２）  また、本発明の請求項２に係るディスク用収納ケースは、前記板紙製収納ケース体の差込口の上下縁に、上下のストッパー片を内向きに突設し、上記差込口より板紙製収納ケース体の内部に抜き差し自在に嵌め込むことができる前記板紙製トレイの内端部には、当該板紙製トレイを板紙製収納ケース体の内部より引き出した時に、上記上下２枚のストッパー片に係合して、板紙製トレイの抜け出しを防止できる上下２枚の爪片が設けられていることを特徴としている。
【００１１】
（３）  また、本発明の請求項３に係るディスク用収納ケースは、前記板紙製トレイの中央部分に、前記ディスクの保持用としてポリ乳酸が主成分の生分解性プラスチック製のセンターハブが設けられ、当該板紙製トレイの外端部には、上記センターハブに取り付けたディスクの上面に折り重ねることにより、ディスクを保護し、且つ、前記小冊子やカード類等の印刷物をカバーする保護片が連設されていることを特徴としている。
【００１２】
（４）  また、本発明の請求項４に係るディスク用収納ケースは、前記板紙製トレイの外端部と左右両側部に、当該板紙製トレイの上面に載置した前記ディスク及び小冊子やカード類等の印刷物の上面に折り重ねることにより、これ等ディスクと印刷物を保護する計３枚の保護片が連設されていることを特徴としている。
【００１３】
（５）  また、本発明の請求項５に係るディスク用収納ケースは、前記小冊子やカード類等の印刷物の長さ寸法が、前記板紙製収納ケース体の差込口に内向きに連設した前記ストッパー片の内端縁と、前記板紙製トレイの底面に沿って挿入された前記印刷物が、前記板紙製トレイの下部爪片に当たってその挿入が係止される係止点との間の長さ寸法よりも、長く構成されていることを特徴としている。
【００１４】
（６）  更に、本発明の請求項６に係るディスク用収納ケースは、前記板紙製収納ケース体の差込口の縁部分に、前記板紙製トレイを引き出すための指掛部が切欠形成されていることを特徴としている。
【００１５】
上記（１）で述べた請求項１に係る手段によれば、ディスクを載置するトレイと、このトレイを収納するケース体の全体を板紙で造ることができるため、プラスチックの使用を排除でき、また、トレイの引き出し時には、トレイに設けた爪片がケース体の差込口に設けたストッパー片に係止して、トレイの抜け出しを防止でき、且つ、トレイの引き出しと共に、爪片が前記小冊子やカード類等の印刷物を引っ掛けて差込口に引き出すことができるため、印刷物の取り出しを容易に行うことができ、且つ、印刷物がケース体の内部にもぐり込んで引き出せなくなる問題を解決することができる。
【００１６】
上記（２）で述べた請求項２に係る手段によれば、前記収納ケースの差込口の上下縁に、上下２枚のストッパー片を設け、前記トレイの内端部にも上下２枚の爪片を設けているため、板紙製トレイを表裏いずれの方向に向けて収納ケース内に差し込んだとしても、当該トレイの引き出し時には表裏いずれかの爪片が表裏いずれかのストッパー片に必ず係止するため、ディスクを載置した板紙製トレイの抜け出しを必ず防止することを可能にする。
【００１７】
更に、上記（２）で述べた請求項２に係る手段によれば、印刷物を板紙製トレイの表裏いずれの側に沿えて収納ケース内に差し込んだとしても、当該トレイの引き出し時に表裏いずれかの爪片が必ず印刷物に係止して、これを差込口に引き出すことができるため、収納ケース体内部への印刷物のもぐり込みを防止することができる。
【００１８】
上記（３）で述べた請求項３に係る手段によれば、ディスク保持用のセンターハブとして、例えば、コーンやいも類、サトウキビなどの植物から得られる乳酸から成るポリ乳酸が主成分の生分解プラスチックを原料として用いて造ったセンターハブが使用されるため、使用済みの板紙製の収納ケースを、このセンターハブを含めて環境に影響を及ぼすことなく一緒に処分することを可能にする。
【００１９】
加えて、上記（３）で述べた請求項３に係る手段によれば、保護片をディスクの上面に折り重ねることにより、ディスクの記録面を保護すると共に、この保護片によってカバーされた印刷物は、板紙製トレイの引き出し時に差込口に設けたストッパー片に係合することもなく、ディスクの引き出しに合わせて板紙製トレイの爪片が差込口に向けてスムーズに引き出すことを可能にする。
【００２０】
上記（４）で述べた請求項４に係る手段によれば、上記（３）で述べた保護片に加えて、板紙製トレイの左右側縁にも左右２枚の保護片が、当該トレイの上面に載置したディスクの上面をカバーするため、これ等計３枚の保護片によってディスクの安全をより確実に確保することができると共に、ディスク面に載置した前記印刷物も、より確実に確保することを可能にする。
【００２１】
上記（５）で述べた請求項５に係る手段によれば、上記印刷物の長さ寸法が、前記ストッパー片の内端縁と、収納ケースの内底板との間の長さ寸法よりも長く構成されているため、ケース体の差込口より板紙製トレイに沿って差し込んだ印刷物を、その外端部が必ず差込口に設けたストッパーの外側面を押圧するように位置すれば、板紙製トレイの抜き差しに当たって印刷物の端部がストッパーに係合されることがなく、従って、板紙製トレイを収納ケースに対してスムーズに抜き差しできると共に、板紙製トレイの引き出し、即ち、ディスクの引き出しと一緒に、印刷物を爪片に係合させて収納ケースの外に確実に引き出すことを可能にする。
【００２２】
上記（６）で述べた請求項６に係る手段によれば、差込口より指先を差し込んで板紙製トレイの先端上縁部を押さえながら、当該トレイと共にディスクと印刷物を簡単に収納ケースの中から引き出すことを可能にする。
【発明の効果】
【００２３】
以上述べた次第で、本発明に係るディスク用収納ケースによれば、プラスチック材料を完全に排除した、環境に優しい板紙製のディスク用収納ケースを提供できると共に、ディスクを載置又は支持した板紙製トレイが、使用中に収納ケースから不用意に抜け出る心配が無く、また、ディスクと一緒に収納ケース内に収めた小冊子やカード類等の印刷物を、板紙製トレイの引き出しに従ってディスクと一緒に確実に収納ケースの外に取り出すことができるため、これ等印刷物が収納ケースの内部へもぐり込んでしまうことを防止できるといった、頗る利便性に富んだディスク用収納ケースを提供できる利点を備えている。
【図面の簡単な説明】
【００２４】
【図１】内部にディスクを収めた本発明の実施例１に係るディスク用収納ケースの全体を示した外観図。
【図２】板紙製収納ケース体の内部に対して、板紙製トレイと印刷物を挿入する前の状態を示した本発明の実施例１に係る全体の外観図。
【図３】（イ）は本発明の実施例１に係る板紙製収納ケース体の展開図で、（ロ）は同じく本発明の実施例１に係る板紙製トレイの展開図。
【図４】（イ）は板紙製収納ケース体の内部に、ディスクを載置した板紙製トレイを嵌め込んだ状態を一部を破断して拡大して示した本発明の実施例１の断面図で、（ロ）は板紙製トレイを板紙製収納ケース体の中から引き出した状態を示した同じく本発明の実施例１の部分拡大断面図。
【図５】板紙製収納ケース体の内部に、板紙製トレイと印刷物を挿入する前の状態を示した本発明の実施例２の全体外観図。
【図６】（イ）は本発明の実施例２に係る板紙製収納ケース体の展開図で、（ロ）は本発明の実施例２に係る板紙製トレイの展開図。
【図７】（イ）は板紙製収納ケース体の内部に、ディスクを載置した板紙製トレイを嵌め込んだ状態を一部を破断して拡大して示した本発明の実施例２の断面図で、（ロ）は板紙製トレイを板紙製収納ケース体の中から引き出した状態を示した同じく本発明の実施例２の部分拡大断面図。
【発明を実施するための形態】
【実施例１】
【００２５】
以下に、上述した本発明の実施例１に係るディスク用収納ケースＤＫの実施の形態を図面と共に説明すると、図１に示した全体の外観図において、符号ＫＴで全体的に示したのは、板紙を用いて組み立て形成した板紙製収納ケース体で、同じく符号ＫＸで全体的に示したのは、この収納ケース体ＫＴの内部に対して差し込み及び引き出し自在に構成した板紙製トレイ、１０はこのトレイＫＸに載置された状態で上記収納ケース体ＫＴの内部に収納されたディスクを示す。
【００２６】
また、１Ａは上記板紙製トレイＫＸに設けた後述する先端折り線、ＫＲは当該板紙製収納ケース体ＫＴの先端縁部分に切欠形成した指掛部で、ディスク１０を載置した板紙製トレイＫＸは、この指掛部ＫＲに指を差し入れて手前に引くことにより、板紙製収納ケース体ＫＴの内部から自由に引き出される仕組みに成っている。
【００２７】
次に、図２は上記の板紙製トレイＫＸと、小冊子やカード類等の印刷物ＢＣを、上記板紙製収納ケース体ＫＴの差込口ＫＳからその内部に挿入する状態を示した外観図であって、図中、１は上記の板紙製トレイＫＸを構成するトレイ板、１０はこのトレイ板１の上面中央部に設けたセンターハブＳＢに取り付けたＣＤやＤＶＤ等のディスクで、センターハブＳＢは、ポリ乳酸が主成分の生分解性プラスチック（例えばコーンやいも類、サトウキビなどの植物から得られる乳酸）を原料として成形されたものであって、板紙を用いて成形されたこれ等トレイＫＸや収納ケース体ＫＴと一緒に、環境に悪影響を及ぼすことなく、簡単に焼却等の処理を行うことを可能にしている。
【００２８】
図３（イ）と（ロ）は、上述した板紙製収納ケース体ＫＴと板紙製トレイＫＸを構成する台紙の展開図を示したものであって、図３（イ）において、５と６は上面板と下面板、７はこれ等上面板５と下面板６を連結する底面板、５Ａ，５Ｂと６Ａ，６Ｂは上記上面板５と下面板６の左右両側に連設した側面板、Ｋ１は上記下面板６の先端に折り線ＫＹを介して連設したストッパー片、ＫＲは上記折り線ＫＹの線上に穿孔した前記指掛部ＫＲを構成する穴であって、全体は板紙を用いて構成されている。
【００２９】
以上の如く構成した台紙を用いて図２に示したディスク収納ケース体ＫＴを組み立てるには、先ず各側面板５Ａ，５Ｂ，６Ａ，６Ｂを、夫々上面板５と下面板６に対して略直角に曲げ起こし、次いで、底面板７の左右の点線部分を、上面板５と下面板６が相対向するように略直角に屈曲すると共に、ストッパー片Ｋ１を点線ＫＹの部分で相対向する上面板５と下面板６の間に向けて内側に折り曲げ、更に、上記上面板５と下面板６の折り曲げによって重なった上記側面板５Ａ，６Ａと、５Ｂ，６Ｂの面同士を夫々接着すれば、図２に示した如く全体が薄いボックス状を成し、一端に差込口ＫＳが開口され、且つ、この差込口ＫＳの内側に、斜め上方に弾発作用するストッパー片Ｋ１を連設すると共に、下側の口縁部中央に指掛部ＫＲを設けた、板紙製収納ケース体ＫＴが組み立て形成される仕組みに成っている。
【００３０】
また、図２に示した構造の板紙製トレイＫＸは、図３（ロ）に示した台紙を用いて造ることができる。即ち、先ずトレイ板１の中央に上述したセンターハブＳＢを取り付け、次いで、トレイ板１の一側に点線で示した折り線１Ａを介して連設した保護片２を、上記センターハブＳＢに取り付けたディスク１０の上面をカバーするように、上記折り線１Ａの部分で約１８０゜内折りし、更に、トレイ板１の他側に連設した中央の爪片３Ｂを、点線３Ｘの部分でトレイ板１に対して下方に鋭角状態に折り曲げることにより、下部爪片３Ｂと成し、更に、当該下部爪片３Ｂの左右両側に位置するように、上記トレイ板１の他側に連設した左右の爪片３Ａ，３Ａを、点線３Ｘの部分でトレイ板１に対して上方に鋭角状態に折り曲げることにより、上部爪片３Ａ，３Ｂを構成していた。
【００３１】
更に図中、１Ｔは前記指掛部ＫＲに対向して上記トレイ板１の一側に設けた指掛用の凹部であって、指掛部ＫＲに指を入れてこの凹部１Ｔを押すと、図４（イ）、図７（イ）の如くこの凹部１Ｔが切り込み線に沿って窪んで、指が掛かる仕組みに成っている。
【００３２】
図４（イ）は、以上の如く構成した板紙製トレイＫＸと印刷物ＢＣを、前記板紙製収納ケース体ＫＴの差込口ＫＳから、その内部に差し込んだ状態を示した断面図で、また、図４（ロ）は、上記差し込んだ板紙製トレイＫＸを板紙製収納ケース体ＫＴの内部から引き出した時に、上記下部爪片３Ｂが入口のストッパー片Ｋ１に係止して、板紙製トレイＫＸの抜け出しを防止している状態を示した拡大断面図である。
【００３３】
板紙製トレイＫＸのセンターハブＳＢに装着されているディスク１０は、上記の如く板紙製トレイＫＸを板紙製収納ケース体ＫＴの外部に引き出して、上面をカバーしている保護片２を開くことにより、板紙製トレイＫＸから取り外して使用に供することができ、また、板紙製収納ケース体ＫＴの底面に沿わせて、ディスク１０と一緒に板紙製収納ケース体ＫＴの内部に収納されていた印刷物ＢＣは、板紙製トレイＫＸの引き出しに応じて、当該板紙製トレイＫＸの内端部に設けた下部爪片３Ｂが引っ掛けた状態で、ディスク１０と一緒に板紙製収納ケース体ＫＴの外に引き出して、利用者の利用に供することができる。
【００３４】
尚、図２並びに図５に示す如く、本発明では付属の印刷物ＢＣの長さ寸法Ｄが、板紙製収納ケース体ＫＴの差込口ＫＳに内向きに設けたストッパー片Ｋ１及びＫ２の内端縁（先端縁）と、上記差し込まれた印刷物ＢＣの先端が前記下部爪片３Ｂに当たって係止される係止点３Ｂ′（図２、図４、図５、図７参照）との間の長さ寸法、即ち、印刷物用の収容部の長さ寸法Ｔよりも、長く構成されているため、図４（イ）並びに図７（イ）に仮想線で示す如く、差し込んだ印刷物ＢＣの根端部が前記下部爪片３Ｂを上から押圧するオーバーハング状態に成って、印刷物ＢＣがストッパー片Ｋ１に引っ掛かって引き出せなくなる問題を解決することができる。
【実施例２】
【００３５】
図５乃至図７は、上述した本発明の実施例２を示したものであって、上述した図１乃至図４に示した実施例１と相違する点は、上述した上面板５にもストッパー片Ｋ２を連設して、前記板紙製トレイＫＸが板紙製収納ケース体ＫＴの中から引き出された時に、図７（ロ）に示す如く、これ等上下のストッパー片Ｋ１，Ｋ２が上下の爪片３Ａ，３Ｂに係止して、板紙製トレイＫＸの抜け出しを上下ダブルのストッパー片Ｋ１，Ｋ２が確実に制止する点、並びに、トレイ板１に設けるディスク１０用のセンターハブＳＢを廃止して、図５、図６（ロ）に示す如くディスク１０の保持をトレイ板１の長手方向に連設した保護片２と、トレイ板２の両側縁に連設した左右の保護片１Ｗ，１Ｗから成る計３枚の保護片にて確実に行う点であって、その他の構成は前期実施例１の構成と同一であるから、その詳細な説明は省略する。
【符号の説明】
【００３６】
ＤＫ          ディスク用収納ケース
ＫＸ          板紙製トレイ
１            トレイ板
１Ａ          トレイ板の外端部
１Ｗ，１Ｗ    左右の保護片
２            保護片
３            上部爪片
３Ｂ          下部爪片
３Ｂ′        係止点
３Ｘ          トレイ板の内端部
ＳＢ          センターハブ
ＫＴ          板紙製収納ケース体
ＫＳ          差込口
Ｋ１，Ｋ２    ストッパー片
ＫＲ          切欠部
１０          ディスク
ＢＣ          小冊子やカード類等の印刷物
Ｄ            印刷物の長さ寸法
Ｔ            印刷物用収容部の長さ寸法
【図１】
2012035893.tif 000003
【図２】
2012035893.tif 000004
【図３】
2012035893.tif 000005
【図４】
2012035893.tif 000006
【図５】
2012035893.tif 000007
【図６】
2012035893.tif 000008
【図７】
2012035893.tif 000009